(57)【要約】【課題】荷物を安全且つスムーズに目的地へ搬送することが可能な荷物管理システムを提供すること。【解決手段】荷物管理システムは、情報通信端末と通信し、前記情報通信端末に記憶された識別情報、乗車区間情報、及び列車情報を記憶し、乗車区間情報及び列車情報を表示し、識別情報に基づき施錠し、施錠時に設定された識別情報と同一の識別情報に基づき開錠する複数の荷物収納庫と、前記各荷物収納庫と通信し、施錠中の荷物収納庫に対して設定されている識別情報を出場改札装置へ通知する荷物管理サーバと、前記情報通信端末と通信し出場改札処理を行なうとともに、前記情報通信端末から読み取った識別情報と、施錠中の荷物収納庫に対して設定されている識別情報との一致により、施錠中の荷物収納庫の存在を示す情報を出力する。【選択図】      図１
2008198006.tif 000002
【特許請求の範囲】
【請求項１】
情報記憶媒体と通信し、前記情報記憶媒体に記憶された識別情報及び乗車区間情報を記憶し、識別情報に基づき施錠又は開錠する複数の荷物収納庫と、
前記荷物収納庫と通信し、前記荷物収納庫に記憶された乗車区間情報を読み取り出力する情報読取端末と、
を備えたことを特徴とする荷物管理システム。
【請求項２】
情報記憶媒体と通信し、前記情報記憶媒体に記憶された識別情報、乗車区間情報、及び列車情報を記憶し、識別情報に基づき施錠し、施錠時に設定された識別情報と同一の識別情報に基づき開錠する複数の荷物収納庫と、
前記荷物収納庫と通信し、前記荷物収納庫に記憶された乗車区間情報及び列車情報を読み取り表示する情報読取端末と、
を備えたことを特徴とする荷物管理システム。
【請求項３】
情報通信端末と通信し、前記情報通信端末に記憶された識別情報、乗車区間情報、及び列車情報に基づき入場改札処理を行なう入場改札装置と、
前記情報通信端末と通信し、前記情報通信端末に記憶された識別情報、乗車区間情報、及び列車情報を記憶し、乗車区間情報及び列車情報を表示し、識別情報に基づき施錠し、施錠時に設定された識別情報と同一の識別情報に基づき開錠する複数の荷物収納庫と、
前記情報通信端末と通信し、前記情報通信端末に記憶された識別情報、乗車区間情報、及び列車情報に基づき出場改札処理を行なう出場改札装置と、
を備えたことを特徴とする荷物管理システム。
【請求項４】
情報通信端末と通信し、前記情報通信端末に記憶された識別情報、乗車区間情報、及び列車情報に基づき入場改札処理を行なう入場改札装置と、
前記情報通信端末と通信し、前記情報通信端末に記憶された識別情報、乗車区間情報、及び列車情報を記憶し、乗車区間情報及び列車情報を表示し、識別情報に基づき施錠し、施錠時に設定された識別情報と同一の識別情報に基づき開錠する複数の荷物収納庫と、
前記情報通信端末と通信し、前記情報通信端末に記憶された識別情報、乗車区間情報及び列車情報に基づき出場改札処理を行なう出場改札装置と、
前記各荷物収納庫と通信し、施錠中の荷物収納庫に対して設定されている識別情報を前記出場改札装置へ通知する荷物管理サーバと、
を備え、
前記出場改札装置は、前記情報通信端末から読み取った識別情報と、施錠中の荷物収納庫に対して設定されている識別情報との一致検出により、施錠中の荷物収納庫の存在を示す情報を出力する、
ことを特徴とする荷物管理システム。
【請求項５】
情報通信端末と通信し、前記情報通信端末に記憶された識別情報、乗車区間情報、及び列車情報に基づき入場改札処理を行なう入場改札装置と、
前記情報通信端末と通信し、前記情報通信端末に記憶された識別情報、乗車区間情報、及び列車情報を記憶し、識別情報に基づき施錠し、施錠時に設定された識別情報と同一の識別情報に基づき開錠する複数の荷物収納庫と、
前記各荷物収納庫と通信し、前記各荷物収納庫に記憶された乗車区間情報及び列車情報を読み取り出力する情報読取端末と、
前記情報通信端末と通信し、前記情報通信端末に記憶された乗車区間情報及び列車情報に基づき出場改札処理を行なう出場改札装置と、
を備えたことを特徴とする荷物管理システム。
【請求項６】
情報通信端末と通信し、前記情報通信端末に記憶された識別情報、乗車区間情報、及び列車情報に基づき入場改札処理を行なう入場改札装置と、
前記情報通信端末と通信し、前記情報通信端末に記憶された識別情報、乗車区間情報、及び列車情報を記憶し、識別情報に基づき施錠し、施錠時に設定された識別情報と同一の識別情報に基づき開錠する複数の荷物収納庫と、
前記各荷物収納庫と通信し、前記各荷物収納庫に記憶された乗車区間情報及び列車情報を読み取り出力する情報読取端末と、
前記情報通信端末と通信し、前記情報通信端末に記憶された識別情報、乗車区間情報及び列車情報に基づき出場改札処理を行なう出場改札装置と、
前記各荷物収納庫と通信し、施錠中の荷物収納庫に設定されている識別情報を前記出場改札装置へ通知する荷物管理サーバと、
を備え、
前記出場改札装置は、前記情報通信端末から読み取った識別情報と、施錠中の荷物収納庫に対して設定されている識別情報との一致検出により、施錠中の荷物収納庫の存在を示す情報を出力する、
ことを特徴とする荷物管理システム。
【請求項７】
情報記憶媒体と通信する通信手段と、
前記情報記憶媒体に記憶された識別情報及び乗車区間情報を記憶する記憶手段と、
乗車区間情報を出力する出力手段と、
識別情報に基づき施錠又は開錠する荷物収納手段と、
を備えたことを特徴とする荷物収納庫。
【請求項８】
情報記憶媒体と通信する通信手段と、
前記情報記憶媒体に記憶された識別情報、乗車区間情報、及び列車情報を記憶する記憶手段と、
乗車区間情報及び列車情報を表示する表示手段と、
識別情報に基づき施錠し、施錠時に設定された識別情報と同一の識別情報に基づき開錠する荷物収納手段と、
を備えたことを特徴とする荷物収納庫。
【請求項９】
情報通信端末に記憶された識別情報に基づき施錠し、施錠時に設定された識別情報と同一の識別情報に基づき開錠することが可能な施錠中の荷物収納庫に対して設定されている識別情報を受信し記憶する記憶手段と、
前記情報通信端末と通信し、前記情報通信端末に記憶された識別情報、乗車区間情報、及び列車情報を読み取り、これら読み取った情報に基づき出場改札処理を行なう改札手段と、
前記施錠中の荷物収納庫に対して設定されている識別情報と、前記出場改札処理において前記情報通信端末から読み取った識別情報との一致検出により、施錠中の荷物収納庫の存在を示す情報を通知する通知手段と、
を備えたことを特徴とする改札装置。
【請求項１０】
情報通信端末に記憶された識別情報に基づき施錠し、施錠時に設定された識別情報と同一の識別情報に基づき開錠することが可能な施錠中の荷物収納庫に対して設定されている識別情報を受信する受信手段と、
前記情報通信端末に記憶された識別情報、乗車区間情報、及び列車情報を読み取り、これら読み取った情報に基づき出場改札処理を行なう改札装置に対して、施錠中の荷物収納庫に対して設定されている識別情報を送信する送信手段と、
を備えたことを特徴とする荷物管理サーバ。
【請求項１１】
入場改札装置が、情報通信端末と通信し、前記情報通信端末に記憶された識別情報、乗車区間情報、及び列車情報に基づき入場改札処理を行ない、
複数の荷物収納庫の夫々が、前記情報通信端末と通信し、前記情報通信端末に記憶された識別情報、乗車区間情報、及び列車情報を記憶し、乗車区間情報及び列車情報を表示し、識別情報に基づき施錠し、施錠時に設定された識別情報と同一の識別情報に基づき開錠し、
荷物管理サーバが、前記各荷物収納庫と通信し、施錠中の荷物収納庫に対して設定されている識別情報を出場改札装置へ通知し、
前記出場改札装置が、前記情報通信端末と通信し、前記情報通信端末に記憶された識別情報、乗車区間情報及び列車情報に基づき出場改札処理を行ない、前記情報通信端末から読み取った識別情報と、施錠中の荷物収納庫に対して設定されている識別情報との一致検出により、施錠中の荷物収納庫の存在を示す情報を出力する、
ことを特徴とする荷物管理方法。
【請求項１２】
入場改札装置が、情報通信端末と通信し、前記情報通信端末に記憶された識別情報、乗車区間情報、及び列車情報に基づき入場改札処理を行ない、
複数の荷物収納庫の夫々が、前記情報通信端末と通信し、前記情報通信端末に記憶された識別情報、乗車区間情報、及び列車情報を記憶し、識別情報に基づき施錠し、施錠時に設定された識別情報と同一の識別情報に基づき開錠し、
荷物管理サーバが、前記各荷物収納庫と通信し、施錠中の荷物収納庫に設定されている識別情報を出場改札装置へ通知し、
情報読取端末が、前記各荷物収納庫と通信し、前記各荷物収納庫に記憶された乗車区間情報及び列車情報を読み取り出力し、
前記出場改札装置が、前記情報通信端末と通信し、前記情報通信端末に記憶された識別情報、乗車区間情報及び列車情報に基づき出場改札処理を行ない、前記情報通信端末から読み取った識別情報と、施錠中の荷物収納庫に対して設定されている識別情報との一致検出により、施錠中の荷物収納庫の存在を示す情報を出力する、
ことを特徴とする荷物管理方法。
【発明の詳細な説明】
【技術分野】
【０００１】
本発明は、携帯電話等の情報記憶媒体又は情報通信端末に記憶された乗車区間情報を利用した荷物管理システム及び荷物管理方法に関する。また、本発明は、このような荷物管理システムに適用される荷物収納庫、改札装置、荷物管理サーバに関する。
【背景技術】
【０００２】
例えば、鉄道などの交通機関の駅には、コインロッカーが設置されていることが知られている。コインロッカーを使用するユーザは、ロッカー内に荷物を預け入れて、代金投入口から代金を投入し、ロッカー備え付けの鍵によりロッカーの扉に鍵を掛ける。このようなコインロッカーの場合、ユーザは、荷物預け入れの都度、代金（小銭）が必要となる。また、受け取った鍵を所持し管理しなければならない。さらに、荷物の受け取り忘れについても何ら対策はない。
【０００３】
また、鉄道などの交通機関では、乗車券としてＩＣカードが利用され始めている。ＩＣカードには、定期券の機能を持たせたり、プリペイドカードとしての機能を持たせたりすることができるものも登場している。さらには、クレジットカードとしての機能を持たせたりすることができるものもある。
【０００４】
このようなＩＣカードを利用して、ロッカーの使用を管理する技術が提案されている（特許文献１参照）。つまり、ＩＣカードにより、ロッカーの使用料を徴収し、またＩＣカードによりロッカーの開閉を管理する技術が提案されている。
【特許文献１】特開２００５−１５７７３８
【発明の開示】
【発明が解決しようとする課題】
【０００５】
上記した従来技術、つまりＩＣカードの利用により、ロッカー使用料の支払いの煩わしさから開放され、またロッカーキーの管理の煩わしさからもある程度開放される。しかしながら、上記した従来技術をもってしても、以下のような問題が依然として解決されない。
【０００６】
第１に、取り忘れの問題である。ロッカー利用者は、ロッカーに荷物を預け入れたまま、列車に乗車し、移動してしまうことがある。このような、ロッカー利用者の移動に対応した取り忘れの対策が不十分である。
【０００７】
第２に、荷物搬送の問題である。ロッカー利用者と言えども、列車に乗車する場合、ロッカーから荷物を取り出して、荷物を列車内に持ち込まなければならない。大きな荷物であれば列車内で通路の通行や座席移動等の障害になるし、大きな荷物或いは重い荷物であればユーザの負担が大きい。また、列車内で荷物の管理が不十分になるなどの問題もある。
【０００８】
本発明の目的は、上記課題を解決するためになされたものであり、荷物を安全且つスムーズに目的地へ搬送することが可能な荷物管理システム及び荷物管理方法を提供することにある。また、本発明の目的は、このような荷物管理システムに適用可能な荷物収納庫、改札装置、及び荷物管理サーバを提供することにある。
【課題を解決するための手段】
【０００９】
この発明の荷物管理システム、荷物収納庫、改札装置、荷物管理サーバ、及び荷物管理方法は、以下のように構成されている。
【００１０】
（１）この発明の荷物管理システムは、情報通信端末と通信し、前記情報通信端末に記憶された識別情報、乗車区間情報、及び列車情報に基づき入場改札処理を行なう入場改札装置と、前記情報通信端末と通信し、前記情報通信端末に記憶された識別情報、乗車区間情報、及び列車情報を記憶し、識別情報に基づき施錠し、施錠時に設定された識別情報と同一の識別情報に基づき開錠する複数の荷物収納庫と、前記各荷物収納庫と通信し、前記各荷物収納庫に記憶された乗車区間情報及び列車情報を読み取り出力する情報読取端末と、前記情報通信端末と通信し、前記情報通信端末に記憶された識別情報、乗車区間情報及び列車情報に基づき出場改札処理を行なう出場改札装置と、前記各荷物収納庫と通信し、施錠中の荷物収納庫に設定されている識別情報を前記出場改札装置へ通知する荷物管理サーバとを備え、前記出場改札装置は、前記情報通信端末から読み取った識別情報と、施錠中の荷物収納庫に対して設定されている識別情報との一致検出により、施錠中の荷物収納庫の存在を示す情報を出力する。
【００１１】
（２）この発明の荷物管理方法は、入場改札装置が、情報通信端末と通信し、前記情報通信端末に記憶された識別情報、乗車区間情報、及び列車情報に基づき入場改札処理を行ない、複数の荷物収納庫の夫々が、前記情報通信端末と通信し、前記情報通信端末に記憶された識別情報、乗車区間情報、及び列車情報を記憶し、識別情報に基づき施錠し、施錠時に設定された識別情報と同一の識別情報に基づき開錠し、荷物管理サーバが、前記各荷物収納庫と通信し、施錠中の荷物収納庫に設定されている識別情報を出場改札装置へ通知し、情報読取端末が、前記各荷物収納庫と通信し、前記各荷物収納庫に記憶された乗車区間情報及び列車情報を読み取り出力し、前記出場改札装置が、前記情報通信端末と通信し、前記情報通信端末に記憶された識別情報、乗車区間情報及び列車情報に基づき出場改札処理を行ない、前記情報通信端末から読み取った識別情報と、施錠中の荷物収納庫に対して設定されている識別情報との一致検出により、施錠中の荷物収納庫の存在を示す情報を出力する。
【００１２】
（３）この発明の荷物収納庫は、情報記憶媒体と通信する通信手段と、前記情報記憶媒体に記憶された識別情報、乗車区間情報、及び列車情報を記憶する記憶手段と、乗車区間情報及び列車情報を表示する表示手段と、識別情報に基づき施錠し、施錠時に設定された識別情報と同一の識別情報に基づき開錠する荷物収納手段とを備えている。
【００１３】
（４）この発明の改札装置は、情報通信端末に記憶された識別情報に基づき施錠し、施錠時に設定された識別情報と同一の識別情報に基づき開錠することが可能な施錠中の荷物収納庫に対して設定されている識別情報を受信し記憶する記憶手段と、前記情報通信端末と通信し、前記情報通信端末に記憶された識別情報、乗車区間情報、及び列車情報を読み取り、これら読み取った情報に基づき出場改札処理を行なう改札手段と、前記施錠中の荷物収納庫に対して設定されている識別情報と、前記出場改札処理において前記情報通信端末から読み取った識別情報との一致検出により、施錠中の荷物収納庫の存在を示す荷物取り忘れ情報を前記情報通信端末に対して通知する通知手段とを備えている。
【００１４】
（５）この発明の荷物管理サーバは、情報通信端末に記憶された識別情報に基づき施錠し、施錠時に設定された識別情報と同一の識別情報に基づき開錠することが可能な施錠中の荷物収納庫に対して設定されている識別情報を受信する受信手段と、前記情報通信端末に記憶された識別情報、乗車区間情報、及び列車情報を読み取り、これら読み取った情報に基づき出場改札処理を行なう改札装置に対して、施錠中の荷物収納庫に対して設定されている識別情報を送信する送信手段とを備えている。
【発明の効果】
【００１５】
本発明によれば、荷物を安全且つスムーズに目的地へ搬送することが可能な荷物管理システム及び荷物管理方法を提供できる。また、本発明によれば、このような荷物管理システムに適用可能な荷物収納庫、改札装置、及び荷物管理サーバを提供できる。
【発明を実施するための最良の形態】
【００１６】
以下、図面を参照し、本発明の実施形態について説明する。
【００１７】
本発明により、例えば長距離鉄道輸送時のチケットレス手荷物輸送サービスが提供可能となる。例えば、乗車券類チケットレス化手段の媒体（情報記憶媒体、情報通信媒体）として携帯電話を想定する。携帯電話が、識別情報（ＩＤ）、乗車区間、及び列車情報（特急券情報）を記憶し、携帯電話と改札機とが通信する。改札機は、携帯電話に記憶された識別情報、乗車区間、及び列車情報を読み取り、これら読み取った情報に基づき改札処理を行なう。また、携帯電話と列車積込み型ロッカーとが通信する。列車積込み型ロッカーは、携帯電話に記憶された識別情報、乗車区間、及び列車情報を読み取り、これらを記憶し、識別情報に基づき課金処理するとともに施錠し、施錠時に設定された識別情報と同一の識別情報に基づき開錠する。
【００１８】
また、列車積込み型ロッカーと荷物管理サーバとが通信する。荷物管理サーバは、施錠中の列車積込み型ロッカーに対して設定されている識別情報を受信し、改札機に対してこの施錠中の荷物収納庫に対して設定されている識別情報を送信する。改札機は、荷物収納庫に対して設定されている識別情報を受信し記憶しておき、携帯電話と通信し携帯電話から読み取った情報に基づき出場改札処理を行なう際、施錠中の荷物収納庫に対して設定されている識別情報と携帯電話から読み取った識別情報との一致検出により、施錠中の荷物収納庫の存在を示す荷物取り忘れ情報を携帯電話に対して通知する。
【００１９】
これにより、改札処理時（出場改札処理時）に、荷物の取り忘れがあれば、荷物の取り忘れをユーザに通知することができる。しかも、列車積込み型ロッカーにより、ユーザは重い荷物を持たずに改札口付近からホームへの移動が可能となり、且つ列車内が整然とするため列車内での通路の通行や座席移動がスムーズになる。
【００２０】
以下に、本発明の詳細を説明する。
【００２１】
図１は、本発明の一実施形態に係る荷物管理システムの概略構成を示す図である。図１に示すように、荷物管理システムは、上位ホストコンピュータ（荷物管理サーバ）１、下位ホストコンピュータ（荷物管理サーバ）２、車内ホストコンピュータ３、券売機４、改札機５、列車積込み型ロッカー６により構成される。またこの荷物管理システムにおいて、乗車券類チケットレス化手段の媒体（情報記憶媒体、情報通信媒体）として携帯電話７を想定する。
【００２２】
上位ホストコンピュータ１は、通信部１１、ロッカー管理データベース１２、表示部１３を備える。上位ホストコンピュータ１は、例えば鉄道会社全体のロッカー使用情報等を管理する。通信部１１は、下位ホストコンピュータ２及び車内ホストコンピュータ３と通信し、下位ホストコンピュータ２及び車内ホストコンピュータ３からの情報を受信したり、下位ホストコンピュータ２及び車内ホストコンピュータ３に対して情報を送信したりする。ロッカー管理データベース１２は、下位ホストコンピュータ２及び車内ホストコンピュータ３から送信されるロッカー使用情報を記憶する。表示部１３は、ロッカー使用情報を表示する。図２は、ロッカー管理データベース１２に記憶されるロッカー管理データベース（ロッカー使用情報）の一例を示す図である。
【００２３】
下位ホストコンピュータ２は、通信部２１、ロッカー管理データベース２２、表示部２３を備える。下位ホストコンピュータ２は、例えば各駅に設置され、各駅に設置されたロッカー使用情報等を管理する。通信部２１は、上位ホストコンピュータ１、券売機４、改札機５、及び列車積込み型ロッカー６と通信し、上位ホストコンピュータ１、券売機４、改札機５、及び列車積込み型ロッカー６からの情報を受信したり、上位ホストコンピュータ１、券売機４、改札機５、及び列車積込み型ロッカー６に対して情報を送信したりする。ロッカー管理データベース２２は、列車積込み型ロッカー６から送信されるロッカー使用情報を記憶する。表示部２３は、ロッカー使用情報を表示する。
【００２４】
車内ホストコンピュータ３は、通信部３１、ロッカー管理データベース３２、表示部２３を備える。車内ホストコンピュータ３は、例えば列車内に設置され、ロッカー使用情報等を管理する。通信部３１は、列車内に積み込まれた列車積込み型ロッカー６と通信し、列車積込み型ロッカー６からの情報を受信したり、上位ホストコンピュータ１に対して情報を送信したりする。ロッカー管理データベース３２は、列車積込み型ロッカー６から送信されるロッカー使用情報を記憶する。表示部３３は、ロッカー使用情報を表示する。なお、この車内ホストコンピュータ３は、車掌が携帯するような携帯型の通信端末（ロッカー６に記憶された情報を読み取る情報読取端末）も含む。
【００２５】
券売機４は、通信部４１、記憶部４２、発券処理部４３を備える。記憶部４２は、発券処理に必要な情報、運賃情報等を記憶する。発券処理部４３は、表示部、操作部、現金処理部、カード処理部等を備えている。発券処理部４３は、現金処理部又はカード処理部を介して代金を受け取り、操作部を介して指定された乗車区間の乗車券を発行したり、操作部を介して指定された列車の特急券を発行したりする。また、発券処理に伴う各種情報が表示部に表示される。
【００２６】
通信部４１は、発行した乗車券の情報（乗車区間情報）や特急券の情報（列車情報）を携帯電話７に送信する。携帯電話７は、通信部４１から送信される乗車券の情報（乗車区間情報）や特急券の情報（列車情報）を記憶する。また、通信部４１は、発行した乗車券の情報（乗車区間情報）や特急券の情報（列車情報）を下位ホストコンピュータ２へ送信する。下位ホストコンピュータ２は、これら乗車券の情報（乗車区間情報）や特急券の情報（列車情報）を上位ホストコンピュータ１へ送信する。
【００２７】
改札機５は、通信部５１、記憶部５２、改札処理部５３を備える。記憶部５２は、改札処理に必要な情報、運賃情報等を記憶する。改札処理部５３は、表示部、券処理部を備えている。改札処理部５３は、券処理部を介して乗車券や特急券を受け取り、これら乗車券や特急券に記録されている情報を読み取り、読み取った情報に基づき入場改札処理（入場可否判定）及び出場改札処理（出場可否判定）を行なう。或いは、改札処理部５３は、通信部５１を介して携帯電話に記憶されている識別情報、乗車券の情報（乗車区間情報）や特急券の情報（列車情報）を読み取り、読み取った情報に基づき入場改札処理（入場可否判定）及び出場改札処理（出場可否判定）を行なう。
【００２８】
列車積込み型ロッカー６は、通信部６１、記憶部６２、表示部６３、荷物収納部６４を備える。通信部６１は、携帯電話７と通信し、携帯電話７に記憶された識別情報、乗車券の情報（乗車区間情報）、及び特急券の情報（列車情報）を読み取る。記憶部６２は、読み取った識別情報、乗車券の情報（乗車区間情報）、及び特急券の情報（列車情報）を記憶する。また、表示部６３は、読み取った乗車券の情報（乗車区間情報）、及び特急券の情報（列車情報）を表示する。荷物収納部６４は、記憶された識別情報に基づき施錠し、この施錠時に設定された識別情報と同一の識別情報に基づき開錠する。
【００２９】
さらに、通信部６１は、下位ホストコンピュータ２及び車内ホストコンピュータ３と通信し、施錠時に設定された識別情報（ロッカー使用中を示す情報）、乗車券の情報（乗車区間情報）、及び特急券の情報（列車情報）を送信する。
【００３０】
携帯電話７は、通信部７１、記憶部７２、表示部７３等を備える。通信部７１は、券売機４と通信し、発行された乗車券の情報（乗車区間情報）や特急券の情報（列車情報）を受信する。記憶部７２は、携帯電話７の識別情報、乗車券の情報（乗車区間情報）、特急券の情報（列車情報）を記憶する。表示部７３は、乗車券の情報（乗車区間情報）、特急券の情報（列車情報）を表示する。さらに通信部７１は、改札機５と通信し、識別情報、乗車券の情報（乗車区間情報）や特急券の情報（列車情報）を送信する。或いは、通信部７１は、列車積込み型ロッカー６と通信し、識別情報、乗車券の情報（乗車区間情報）や特急券の情報（列車情報）を送信する。
【００３１】
続いて、上記した荷物管理システムによる荷物管理について、図３を参照して説明する。図３は、荷物管理システムによる荷物管理の一例を示すフローチャートである。例えば、Ｘ鉄道会社のＢ駅からＣ駅まで乗車するユーザの荷物管理について説明する。
【００３２】
（１）＜チケットの購入＞
ユーザは、Ｘ鉄道会社のＢ駅からＣ駅まで乗車する場合に必要な乗車券、特急券を券売機４で購入する（ＳＴ１）。券売機４は、発行した乗車券の情報（乗車区間情報）や特急券の情報（列車情報）を携帯電話７に送信する。つまり、携帯電話７は、発行した乗車券の情報（乗車区間情報）や特急券の情報（列車情報）を記憶する（ＳＴ２）。なお、券売機４を利用せずに、携帯電話７のインターネット接続機能を利用して、Ｘ鉄道会社のＢ駅からＣ駅まで乗車する場合に必要な乗車券、特急券を購入するようにしてもよい。この場合も、上記と同様に、携帯電話７には、購入した乗車券の情報（乗車区間情報）や特急券の情報（列車情報）が記憶される（ＳＴ２）。
【００３３】
（２）＜改札後荷物を列車積込み型ロッカーに収納、乗車＞
列車積込み型ロッカー６は、列車積込みを考慮された複数個連結可能な構造になっている。例えば、通常は複数個連鎖された列車積込み型ロッカー６に対して、途中空き無く順番に荷物が収納される。
【００３４】
ユーザは、携帯電話７を使用してＢ駅の改札機５を入場する。つまり、改札機５は、携帯電話に記憶されている識別情報、乗車券の情報（乗車区間情報）や特急券の情報（列車情報）を読み取り、読み取った情報に基づき入場改札処理（入場可否判定）を行なう（ＳＴ３）。
【００３５】
さらに、ユーザは、入場改札処理を受けた携帯電話７を使用して、列車積込み型ロッカー６に荷物を預け入れる。つまり、列車積込み型ロッカー６は、携帯電話に記憶された識別情報、乗車券の情報（乗車区間情報）、及び特急券の情報（列車情報）を読み取り、読み取った識別情報、乗車券の情報（乗車区間情報）、及び特急券の情報（列車情報）を記憶し、記憶した乗車券の情報（乗車区間情報）及び特急券の情報（列車情報）を表示し、記憶された識別情報に基づき施錠し、記憶された識別情報に基づき使用料を徴収する（ＳＴ４）。
【００３６】
荷物を預け入れたユーザは、ホームへ向かい目的の列車に乗車する（ＳＴ６）。ユーザは、重い大きな荷物を持たずにホームへ向かい目的の列車に乗車することができる。
【００３７】
一方、列車積込み型ロッカー６は、Ｂ駅の下位ホストコンピュータ２に対して、ロッカー使用情報（識別情報、乗車券の情報（乗車区間情報）、及び特急券の情報（列車情報））を送信する。Ｂ駅の下位ホストコンピュータ２は、上位ホストコンピュータ１に対して、ロッカー使用情報（識別情報、乗車券の情報（乗車区間情報）、及び特急券の情報（列車情報））を送信する（ＳＴ５）。上位ホストコンピュータ１は、受信したロッカー使用情報（識別情報、乗車券の情報（乗車区間情報）、及び特急券の情報（列車情報））を解析し、このケースではロッカー使用情報をＣ駅の下位ホストコンピュータ２へ送信する。Ｃ駅の下位ホストコンピュータ２は、Ｃ駅の改札機５に対して識別情報（施錠中の荷物収納庫に対して設定されている識別情報）を送信する。Ｃ駅の改札機５は、識別情報（施錠中の荷物収納庫に対して設定されている識別情報）を記憶する。
【００３８】
（３）＜列車積込み型ロッカーの列車積み下ろし＞
列車積込み型ロッカー６は、受付締切後に（例えば列車発車１０分前に）、ホームに移送され、列車に積み込まれる（ＳＴ６）。このとき、列車積込み型ロッカー６は、携帯電話７から読み取り記憶した乗車券の情報（乗車区間情報）及び特急券の情報（列車情報）を表示している。各駅の手荷物預所対応係員は、列車積込み型ロッカー６に表示されている乗車券の情報（乗車区間情報）及び特急券の情報（列車情報）を確認して、該当の列車の荷物室に積み込む。或いは、情報読取端末により、列車積込み型ロッカー６に記憶されている乗車券の情報（乗車区間情報）及び特急券の情報（列車情報）を読み取り表示し、各駅の手荷物預所対応係員が、情報読取端末に表示されている乗車券の情報（乗車区間情報）及び特急券の情報（列車情報）を確認して、該当の列車の荷物室に積み込むようにしてもよい。なお、列車の荷物室は、ロッカーを固定するのに必要な構造、及び車内とホームとの間でのロッカー積み下ろしが容易な開閉構造を持つものとする。
【００３９】
（４）＜下車、手荷物取出し、出場＞
ユーザは、Ｃ駅で列車を降りホームから手荷物預所に向かう。列車内の荷物対応係員は、列車積込み型ロッカー６に表示されている乗車券の情報（乗車区間情報）及び特急券の情報（列車情報）を確認して、列車積込み型ロッカー６をＣ駅のホームへ降ろす。列車から降ろされた列車積込み型ロッカー６は当駅の手荷物預所に移送される。
【００４０】
ユーザは、列車積込み型ロッカー６に表示されているロッカー番号等を確認し、携帯電話７にて開錠し、荷物を取出す。つまり、列車積込み型ロッカー６は、携帯電話に記憶された識別情報を読み取り、読み取った識別情報と施錠時に設定された識別情報とが同一であることを確認し開錠する（ＳＴ７、ＹＥＳ）。列車積込み型ロッカー６は、開錠に利用された識別情報をＣ駅の下位ホストコンピュータ２へ送信し、下位ホストコンピュータ２は開錠に利用された識別情報をＣ駅の改札機５へ送信する。Ｃ駅の改札機５は、開錠に利用された識別情報と、記憶している識別情報（施錠中の荷物収納庫に対して設定されている識別情報）の一致に基づき、記憶している識別情報（施錠中の荷物収納庫に対して設定されている識別情報）を消去する。つまり、荷物の取り出しに伴いＣ駅の改札機５に記憶されているロッカー使用情報が更新される（ＳＴ８）。
【００４１】
さらに、ユーザは、携帯電話７を使用してＣ駅の改札機５から出場する。つまり、改札機５は、携帯電話に記憶されている識別情報、乗車券の情報（乗車区間情報）や特急券の情報（列車情報）を読み取り、読み取った情報に基づき出場改札処理（出場可否判定）を行なう（ＳＴ９）。
【００４２】
なお、ユーザが、荷物を取り出さずに（ＳＴ７、ＮＯ）、携帯電話７を使用してＣ駅の改札機５から出場しようとすると、改札機５は、携帯電話７に記憶されている識別情報、乗車券の情報（乗車区間情報）や特急券の情報（列車情報）を読み取り、読み取った情報に基づき出場改札処理（入場可否判定）を行ない、さらに荷物取り忘れ情報を表示するとともに、携帯電話７に対しても荷物取り忘れ情報を通知する（ＳＴ１０）。つまり、改札機５は、携帯電話に記憶されている識別情報、乗車券の情報（乗車区間情報）や特急券の情報（列車情報）を読み取り、読み取った識別情報と、記憶している識別情報（施錠中の荷物収納庫に対して設定されている識別情報）の一致に基づき、荷物取り忘れ情報を表示するとともに、携帯電話７に対しても荷物取り忘れ情報を通知する。
【００４３】
上記したように、乗車券類とロッカーキーを同一の媒体である携帯電話７とすることにより、改札機出場時に列車積込み型ロッカー６からの手荷物取出し忘れがあればそれをユーザ及び駅係員に通知することが可能になる。更には、悪意を持った者が故意に危険物のみ列車に積載させるといった事件の防止あるいは被疑者の特定が容易になる。この場合も、逃走のため手荷物を列車積込み型ロッカー６に預けた記録が携帯電話７に残ったままの状態で出場しようとすることから手荷物取出し忘れ通知を駅係員にもすることが可能になる。
【００４４】
また、列車内では座席付近の手荷物が少なくなり整然とするため通路の通行や座席移動がスムーズになり、且つユーザは大きく重い荷物を持たずにホームへ移動することができる。
【００４５】
なお、上記説明した通信は、無線又は有線による通信を指すものである。
【００４６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４７】
【図１】本発明の一実施形態に係る荷物管理システムの概略構成を示す図である。
【図２】ロッカー管理データベースに記憶されるロッカー管理データベース（ロッカー使用情報）の一例を示す図である。
【図３】荷物管理システムによる荷物管理の一例を示すフローチャートである。
【符号の説明】
【００４８】
１…上位ホストコンピュータ、２…下位ホストコンピュータ、３…車内ホストコンピュータ、４…券売機、５…改札機、６…列車積込み型ロッカー、７…携帯電話
【図１】
2008198006.tif 000003
【図２】
2008198006.tif 000004
【図３】
2008198006.tif 000005